(57)【要約】      （修正有）【課題】フィルターを装着するためのシステム、方法及び装置を包含し、管板、中間支持体及び指向性マウントを備えたハウジングに１以上のフィルターを装着する方法を提供する。【解決手段】第１フィルター部分３０６を有するフィルターを準備し、中間支持体３１２に対して第１フィルター部分を操作し、中間支持体に対して第１フィルター第２端部３０８を操作する工程を含むことができ、第１フィルター第２端部は中間支持体に対してその相対位置を維持し、中間支持体は指向性マウントの第２端部と係合するように機能させる。【選択図】図３
2013017997.tif 000002
【特許請求の範囲】
【請求項１】
管板、中間支持体及び指向性マウントを備えたハウジングに１以上のフィルターを装着する方法であって、
第１フィルター部分を有するフィルターを準備する工程と、
中間支持体に対して第１フィルター部分を操作する工程であって、第１フィルター部分が、管板に隣接して装着されるように操作できる第１フィルター第１端部及び中間支持体に係合するように操作できる第１フィルター第２端部を含んでいて、第１フィルター第１端部が管板に対してその相対位置を維持する、工程と、
中間支持体に対して第１フィルター第２端部を操作する工程であって、第１フィルター第２端部は中間支持体に対してその相対位置を維持し、中間支持体は指向性マウントの第２端部と係合するように操作できる工程と
を含む方法。
【請求項２】
中間支持体が、さらに、管板の方に向かって回転して設置中第１フィルター部分に対するクリアランスを与えるように作動可能であり、さらに第１フィルター第２端部と係合し第１フィルター部分を支持するための初期位置に戻るように作動可能である１以上の水平蝶番式支持腕木を含む、請求項１記載の方法。
【請求項３】
１以上の上部クランプ部分を用意する工程であって、１以上の上部クランプ部分が第１フィルター第２端部に固定される、工程と、
１以上の上部クランプ部分に取り付けられるように操作できる１以上の下部クランプ部分を有する第２フィルター第１端部を含む第２フィルター部分を用意する工程と
をさらに含む、請求項１記載の方法。
【請求項４】
１以上の下部クランプ部分を１以上の上部クランプ部分に取り付けることによって、第２フィルター部分を第１フィルター部分に設置し固定する工程をさらに含む、請求項３記載の方法。
【請求項５】
第２フィルター部分を第１フィルター部分に固定する工程が、クランプフックの少なくとも一部分を上部クランプ部分中に係合させる工程を含んでいて、クランプフックが下部クランプ部分に連結される、請求項４記載の方法。
【請求項６】
指向性マウントの少なくとも１つの第１端部が管板と係合し、指向性マウントの第２端部は中間支持体に固定される、請求項１記載の方法。
【請求項７】
第１フィルター部分を管板に設置し固定する工程が、さらに、管板と第１フィルター第１端部との間の界面を密封する工程を含む、請求項１記載の方法。
【請求項８】
ハウジングと、
管板と、
中間支持体と、
管板に装着されるように操作できる２以上の指向性マウント第１端部及び中間支持体に装着されるように操作できる指向性マウント第２端部を含む指向性マウントと、
少なくとも１つのフィルターと
を備えるシステムであって、少なくとも１つのフィルターが、管板に隣接して装着されるように操作できる第１フィルター第１端部と、中間支持体と係合するように操作できる第１フィルター第２端部とを含む第１フィルター部分を含んでいて、第１フィルター第１端部は管板に対してその位置を維持し、第１フィルター第２端部は中間支持体に対してその相対位置を維持する、システム。
【請求項９】
中間支持体が、さらに、管板の方に向かって回転して設置中第１フィルター部分に対するクリアランスを与えるように作動可能であり、さらに第１フィルター第２端部と係合し第１フィルター部分を支持するための初期位置に戻るように作動可能である１以上の水平蝶番式支持腕木を含む、請求項８記載のシステム。
【請求項１０】
第１フィルター第２端部に固定された１以上の上部クランプ部分と、
１以上の上部クランプ部分に取り付けられるように操作できる１以上の下部クランプ部分を有する第２フィルター第１端部を含む第２フィルター部分と
をさらに含む、請求項８記載のシステム。
【請求項１１】
第２フィルター部分が、１以上の下部クランプ部分を１以上の上部クランプ部分に取り付けることによって、第１フィルター部分に固定される、請求項１０記載のシステム。
【請求項１２】
さらに、下部クランプ部分に連結されたクランプフックを含んでいて、第２フィルター部分はクランプフックの少なくとも一部分を上部クランプ部分中に係合させることにより第１フィルター部分に固定される、請求項１１記載のシステム。
【請求項１３】
指向性マウントの少なくとも１つの第１端部が管板と係合し、指向性マウントの第２端部は少なくとも１つのネジ式ナットにより中間支持体に固定される、請求項８記載のシステム。
【請求項１４】
第１フィルター部分が、さらに、管板と第１フィルター第１端部との間の界面を密封するように操作できるシールを含む、請求項８記載のシステム。
【請求項１５】
第１フィルター部分と係合し、これを支持するように操作できる中間支持体と、
管板に装着されるように操作できる２以上の指向性マウント第１端部を含む指向性マウントと
を備える装置であって、指向性マウントが、中間支持体に装着されるように操作できる第２端部を含む、装置
【請求項１６】
中間支持体が、さらに、管板の方に向かって回転して設置中第１フィルター部分に対するクリアランスを与えるように作動可能であり、さらに第１フィルター部分第２端部と係合し第１フィルター部分を支持するための初期位置に戻るように作動可能である１以上の水平蝶番式支持腕木を含む、請求項１５記載の装置。
【請求項１７】
さらに、
第１フィルター第２端部に固定された１以上の上部クランプ部分と、
第２フィルター部分に固定されており、１以上の上部クランプ部分に取り付けられるように操作できる１以上の下部クランプ部分と
を含む、請求項１５記載の装置。
【請求項１８】
さらに、下部クランプ部分に連結されたクランプフックを含んでおり、クランプフックはクランプフックの少なくとも一部分を上部クランプ部分中に係合させることによって第２フィルター部分を第１フィルター部分に固定するように操作できる、請求項１７記載の装置。
【請求項１９】
指向性マウント第２端部の少なくとも一部分がネジ式であり、少なくとも１つのネジ式ナットにより中間支持体に取り付けられるように操作できる、請求項１５記載の装置。
【請求項２０】
さらに、管板と第１フィルター第１端部との間の界面を密封するように操作できるシールを含む、請求項１５記載の装置。
【発明の詳細な説明】
【技術分野】
【０００１】
本発明は、一般に濾過に関し、特に空気濾過に関する。
【背景技術】
【０００２】
産業用エアフィルターは、入ってくる空気流から粉塵及びその他の微粒子を除去するために広く使用されている。最も効率的で費用効果的な産業用濾過システムの１つはフィルターハウジング内に並んだ一連のフィルターを使用する。粉塵を含むガスはフィルターハウスに入り、製織又は不織天然、合成、又はガラス繊維材料製であり得るフィルターを通過する。濾過媒体は粉塵微粒子が集まり得る表面を与え、濾過が増大するにつれて、通常フィルターの表面に粉塵のケーキが形成される。粉塵の蓄積に起因するガス流に対する増大した抵抗により、フィルターを定期的に清浄化する必要が生じる。これらのフィルターには襞を付け得る。
【０００３】
上向流濾過構成の場合、フィルターは通例管板に固定され、垂直配向に吊り下げられる。汚れたガス流は通常フィルターハウスに入り、外側からフィルターを通過し、濾過された粉塵はフィルターの外側に集まる。幾つかのシステムでは、逆流パルスの空気で濾過材から粉塵粒子の幾らかを除去するのに充分であるが、最終的には濾過材が詰まり過ぎるようになり、サービス要員がそのフィルターを取り替えなければならない。濾過効率は濾過媒体の大きさ及び表面積と共に増大し得るが、従来のフィルターはサービス要員がフィルターを簡単に設置し取り替えることができるような大きさとなっている。空気濾過のための改良されたシステム、方法及び装置に対するニーズが残されている。
【発明の概要】
【課題を解決するための手段】
【０００４】
上記ニーズの幾つか又は全ては本発明の幾つかの実施形態により対処し得る。本発明の幾つかの実施形態は濾過システム、方法及び装置を含み得る。本発明の一実施形態では、管板、中間支持体及び指向性マウントを備えたハウジング内に１以上のフィルターを装着するための方法が提供される。本方法は、第１フィルター部分を有するフィルターを準備する工程と、第１フィルター部分を中間支持体に対して操作する工程であって、第１フィルター部分が、管板に隣接して装着されるように操作できる第１フィルター第１端部と、中間支持体に係合するように操作できる第１フィルター第２端部とを含み、第１フィルター第１端部が管板に対してその相対位置を維持する、工程と、第１フィルター第２端部を中間支持体に対して操作する工程とを含んでおり、第１フィルター第２端部は中間支持体に対してその相対位置を維持し、中間支持体は指向性マウントの第２端部と係合するように操作できる。
【０００５】
別の実施形態では、システムが提供される。このシステムは、ハウジング、管板、中間支持体、及び管板に装着されるように操作できる２以上の指向性マウント第１端部と中間支持体に装着されるように操作できる指向性マウント第２端部とを含む指向性マウント含んでいる。このシステムはまた、管板に隣接して装着されるように操作できる第１フィルター第１端部と、中間支持体に係合するように操作できる第１フィルター第２端部とを含む第１フィルター部分を含む少なくとも１つのフィルターも含んでいて、第１フィルター第１端部は管板に対してその位置を維持し、第１フィルター第２端部は中間支持体に対してその相対位置を維持する。
【０００６】
別の実施形態では、装置が提供される。この装置は、第１フィルター部分と係合しこれを支持するように操作できる中間支持体と、管板に装着されるように操作できる２以上の指向性マウント第１端部を含む指向性マウントとを含んでいて、指向性マウントは中間支持体に装着されるように操作できる第２端部を含んでいる。
【０００７】
本発明のその他の実施形態及び局面は本明細書に詳細に記載され、本発明の一部と考えられる。他の実施形態及び局面は、以下の詳細な説明、添付の図面及び特許請求の範囲を参照して理解することができる。
【図面の簡単な説明】
【０００８】
ここで、添付の表及び図面を参照するが、図は必ずしも一定の縮尺で描かれていない。
【図１】図１は、本発明の一実施形態による実例の濾過ハウジングのブロック図である。
【図２】図２は、本発明の一実施形態による実例のフィルターアセンブリのブロック図である。
【図３】図３は、本発明の一実施形態による実例のフィルター及び取り付けアセンブリのブロック図である。
【図４】図４は、本発明の一実施形態による実例の中間支持体のブロック図である。
【図５】図５は、本発明の一実施形態による実例のクランプアセンブリのブロック図である。
【図６】図６は、本発明の一実施形態による実例の指向性マウント及び中間支持体のブロック図である。
【図７】図７は、本発明の一実施形態による一例の方法の流れ図である。
【図８】図８は、本発明の一実施形態による別の方法の流れ図である。
【発明を実施するための形態】
【０００９】
以下、本発明の実施形態を示す添付の図面を参照して、本発明の実施形態を詳細に説明する。しかし、本発明は、多くの異なる形態で具体化し得、本明細書に記載の実施形態に限定されると解釈するべきではない。むしろこれらの実施形態は、本開示を十分かつ完全にするために提供されており、本発明の範囲を当業者に詳しく知らせるものである。図面を通じて、類似の数字は類似の要素を表す。
【００１０】
本発明の例示の実施形態により、複数の部分を有するフィルターを現存のフィルターハウジングに装着することが可能になり得る。一実施形態では、複数の小さいフィルターを一緒に設置し取り付けて単一のより大きいフィルターアセンブリを提供し得る。一実施形態に従って、管板穴当たりの濾過媒体面積の増大は、媒体空気速度及びフィルターを横切る圧力降下を低減し得る。一実施形態では、管板穴当たりの濾過媒体面積の増大は、また、フィルターハウス及びフィルターを通って空気が移動するのに必要なエネルギーも低減し得る。一実施形態では、より小さいフィルター部分を利用してより大きいフィルターを組み立てる一方で、単一の大きいフィルターを持ち上げ設置するのに通常伴う重量問題を回避し得る。
【００１１】
本発明の例示の実施形態に従って、様々なデバイス及び部品を利用して、複数の部分を有するフィルターをフィルターハウジングに装着することができる。以下、添付の図を参照して本発明の例示の実施形態を説明する。
【００１２】
図１に、一例の垂直上向流フィルターハウス１００を示す。本発明の例示の実施形態では、粉塵や微粒子を含有し得る流入空気１０２はフィルターハウス１００に入り得、この流入空気１０２は管板からフィルターハウス１００内に懸垂又は懸架され得るフィルター１０４と遭遇し得る。本発明の一実施形態では、フィルター１０４は複数の部分で管板に取り付けられ得、これにより２以上のフィルター部分が同一の管板開口を共有し得る。一実施形態では、フィルター１０４を通り抜けた後、フィルターハウス１００内の濾過された空気１０６は流出口を通って流れ得、次いで清浄な流出空気１０８は使用のために他の領域又は機械に導かれ得る。
【００１３】
本発明の一実施形態では、フィルター１０４を垂直配向でフィルターハウス１００内に設置することで幾つかの有益な効果が得られ得る。例えば、フィルターは空気の逆流パルスで清浄化し得、また除去された粉塵は除去が容易なようにフィルター１０４の下の領域に蓄積し得る。
【００１４】
図２は、複数の部分を有するフィルター２００の一実施形態を示す。一実施形態では、フィルター２００はエンドキャップ２０２、第１部分２０６及び第２部分２０４を含み得る。例えば、一実施形態では、第１部分２０６は円錐形状に作成し得、第２部分２０４は円筒形状に作成し得る。その他の例示の実施形態では、第１部分２０６及び第２部分２０４はいかなる都合のよい形状に形成してもよい。一実施形態では、第１部分２０６と第２部分２０４は、本発明の範囲から逸脱することなく他の技術を用いて接合し得る。他の例示の実施形態では、２以上のフィルター部分を利用して単一のフィルターアセンブリを組み立て得る。
【００１５】
図３は、本発明の一実施形態による、付随するハードウェアと共に装着されたフィルターアセンブリ３００の側面図を示す。一実施形態では、フィルターアセンブリ３００は、空気が管板開口３０１を通って進む前に複数部分を有するフィルターアセンブリの濾過材を通り抜けるように、管板３０２に取り付けられ得る。本発明の一実施形態では、指向性マウント３０３は、フィルターアセンブリ３００を管板３０２に隣接して懸垂するための支持を与える。一実施形態では、指向性マウント３０３は２以上の第１端部３０４を有し得る。例えば、指向性マウント３０３第１端部３０４の三脚構造は懸垂するフィルターアセンブリを支持するのに充分であり得る。一実施形態では、第１端部３０４は、管板の頂部の一部と係合し得るフランジ又は曲がった領域を含み得る。
【００１６】
一実施形態では、指向性マウント３０３はまた、以下に説明するように中間支持体３１２に取り付けるために利用し得る第２端部３０５も含み得る。一実施形態では、第１フィルター部分３０６（図２の２０６に対応する）は、指向性マウント３０３と中間支持体３１２の組合せにより支持され、管板３０２に隣接して保持され得る。例えば、中間支持体３１２は指向性マウントの第２端部３０５と係合し得、第１フィルター部分３０６はこの中間支持体３１２により管板３０２に対して支持され保持され得る。一実施形態では、第１フィルター部分３０６は、第１フィルター第１端部３０７を管板３０２に対して密封するように操作できるガスケット又は同様な可撓性の表面を含み得る第１フィルター第１端部３０７を含み得る。一実施形態では、第１フィルター第２端部３０８は、第１フィルター部分クランプ３１０を含み得るか、又はこれを取り付けるように機能し得る。
【００１７】
一実施形態では、フィルターアセンブリ３００は第２フィルター部分３１４（例えば、図２の２０４に対応する）を含み得る。一実施形態では、第２フィルター部分３１４は第１フィルター部分３０６に取り付けられるように機能可能であり得る。一実施形態では、第２フィルター部分３１４は、第２フィルター部分３１４を第１フィルター部分３０６に固定するために第１フィルター部分クランプ３１０と接続し得る第２フィルター部分クランプ３１１を含み得る。一実施形態では、指向性マウント３０３と中間支持体３１２は第１フィルター部分３０６、第２フィルター部分３１４及びクランプ３１０、３１１に対する懸垂支持を与える。
【００１８】
本発明の一実施形態では、用語「クランプ」には、特に限定されないが、簡単なツイストロックタイプの締め付け具を始めとする様々な締め付け具が包含され得る。例示の実施形態では、クランプには、第２フィルター部分３１４を第１フィルター部分３０６に固定するのに適したフック、アイレット、ラッチ及びその他のデバイスが包含され得る。
【００１９】
本発明の一実施形態では、第２フィルター部分３１５は、第２フィルター部分３１４の第２端部３１５に隣接してエンドキャップ３１６（例えば、図２の２０２に対応する）を含み得る。
【００２０】
図４は、第１フィルター部分４０２から管板方向を見上げたときのフィルター装着中央部分４００の一実施形態の端面図を示す。一実施形態では、第１フィルター部分の第２端部（図３の３０８に相当）は、フィルターが正しい位置にあるときに指向性マウント４０４が係合するための凹部を含み得る。一実施形態では、中間支持体４０４は、指向性マウントの第２端部（図３の３０５に相当）を受容するための開口４０６を含み得る。一実施形態では、ガスケット４１０を利用して、第１フィルター部分（例えば、図２の２０６）と第２フィルター部分（例えば、図２の２０４）をつなぐ界面において連続シールを与える。
【００２１】
図５は、本発明の一実施形態による、第２フィルター部分５０６を第１フィルター部分５０２に取り付けるように操作できる一例のクランプアセンブリ５００を示す。クランプアセンブリ５００の部品は一実施形態による図３の第１フィルター部分クランプ３１０及び第２フィルター部分クランプ３１１に対応し得る。一実施形態では、クランプアセンブリ５００は上部クランプ部分５０４及び下部クランプ部分５０８を含み得る。一実施形態では、クランプアセンブリ５００は上部クランプ部分５０４と下部クランプ部分５０８との間に圧縮可能なガスケット５１０を含み得る。一実施形態では、ガスケット５１０（図４の４１０に対応する）はフィルター部分間に気密の（又は気密に近い）シールを与える。一実施形態では、クランプアセンブリ５００は、下部クランプ部分５０８を上部クランプ部分５０４に固定するように機能できるクランプフック５１２を含み得る。
【００２２】
図６は、本発明の一実施形態による中間装着アセンブリ６００を示す。一実施形態では、中間装着アセンブリ６００は、中間支持体６０４と係合するように操作できる指向性マウント端部６０２（図３の３０５に相当）を含み得る。一実施形態では、中間支持体６０４は、蝶番６１２により中間支持体６０４フレームの一部分に固定され得る１以上の蝶番式腕木６１０を含み得る。一実施形態では、中間支持体６０４は、ナット６０８及び任意のワッシャー６０６により指向性マウント端部６０２に固定し得る。
【００２３】
本発明の一実施形態では、中間支持体アセンブリ６０４、６１０、６１２は、フィルター部分（図３の３０６に相当）が蝶番式腕木６１０に沿ってその上をスライドすることができ、設置位置６１４までの蝶番式腕木の上向の回転６１８を起こさせ、その後フィルター部分が蝶番式腕木６１０を離れた後、蝶番式腕木６１０が回転して作動位置６１６に戻りフィルター部分を支持し得、この時点でナット６０８を締めてフィルター部分を管板に固定し得るように機能し得る。本発明の例示の実施形態では、中間端部マウント６００によって、サービス要員はフィルター部分を設置する際に両手を利用することが可能になり得、蝶番式腕木６１０は自動的に機能を停止してフィルターの設置を可能にし、次いでフィルターを支持する静止位置（６１６）に自動的に戻り得る。
【００２４】
ここで、図７のフローチャートを参照して、管板、中間支持体及び指向性マウントを備えたハウジングに１以上のフィルターを装着するための一例の方法７００について説明する。この方法７００はブロック７０２で開始し、本発明の一実施形態では、第１フィルター部分を備えたフィルターを準備することを含む。ブロック７０４において、方法７００は、中間支持体に対して第１フィルター部分を操作することを含んでおり、この第１フィルター部分は、管板に隣接して装着されるように操作できる第１フィルター第１端部と、中間支持体と係合するように操作できる第１フィルター第２端部とを含んでいて、第１フィルター第１端部は管板に対してその相対位置を維持する。ブロック７０６において、この方法は、第１フィルター第２端部を中間支持体に対して操作する工程を含んでいて、第１フィルター第２端部は中間支持体に対してその相対位置を維持し、中間支持体は指向性マウントの第２端部と係合するように操作できる。この方法７００はブロック７０６の後終了する。
【００２５】
一実施形態では、中間支持体（３１２）は、管板（３０２）の方向に回転して設置中第１フィルター部分（３０６）に対するクリアランスを与えるように作動可能であり、さらに第１フィルター第２端部（３０８）と係合し第１フィルター部分（３０６）を支持する初期位置に戻るように作動可能である１以上の水平蝶番式支持腕木（６１０）を含み得る。一実施形態では、この方法は、第１フィルター第２端部（３０８）に固定される１以上の上部クランプ部分（５０４）を提供する工程と及び１以上の上部クランプ部分（５０４）に取り付けるように操作できる１以上の下部クランプ部分（５０８）を有する第２フィルター第１端部（３１３）を含む第２フィルター部分（３１４）を提供することを含むことができる。
【００２６】
一実施形態では、この方法は、１以上の下部クランプ部分（５０８）を１以上の上部クランプ部分（５０４）に取り付けることによって、第２フィルター部分（３１４）を第１フィルター部分（３０６）に据え付け固定することを含むことができ、第２フィルター部分（３１４）を第１フィルター部分（３０６）に固定することはクランプフック（５１２）の少なくとも一部分を上部クランプ部分（５０４）中に係合することを含み、クランプフック（５１２）は下部クランプ部分（５０８）に連結される。一実施形態では、この方法は、指向性マウント（３０３）の１つの第１端部（３０４）を管板（３０２）に係合し、指向性マウント（３０３）の第２端部（３０５）を中間支持体（３１２）に固定することを含むことができる。
【００２７】
一実施形態では、この方法は、管板（３０２）と第１フィルター第１端部（３０７）との間の界面を密封することによって、第１フィルター部分（３０６）を管板（３０２）に設置し固定することを含むことができる。
【００２８】
本発明の例示の実施形態は、ハウジング（１００）、管板（３０２）、中間支持体（３１２）、管板（３０２）に装着されるように操作できる２以上の指向性マウント第１端部（３０４）と中間支持体（３１２）に装着されるように操作できる指向性マウント第２端部（３０５）とを含む指向性マウント（３０３）、管板（３０２）に隣接して装着されるように操作できる第１フィルター第１端部（３０７）と中間支持体（３１２）と係合するように操作できる第１フィルター第２端部（３０８）とを含む第１フィルター部分（３０６）を含む少なくとも１つのフィルター（１０４）の１以上を含み得るシステム又は装置を含み得、第１フィルター第１端部（３０７）は管板（３０２）に対してその位置を維持し、第１フィルター第２端部（３０８）は中間支持体（３１２）に対してその相対位置を維持する。
【００２９】
一実施形態では、このシステム又は装置ではまた、中間支持体（３１２）がさらに、管板（３０２）の方に回転して設置中に第１フィルター部分（３０６）に対するクリアランスを与えるように作動可能であり、さらに第１フィルター第２端部（３０８）と係合し第１フィルター部分（３０６）を支持する初期位置に戻るように作動可能である１以上の水平蝶番式支持腕木（６１０）を含み得る。
【００３０】
一実施形態では、このシステム又は装置はまた、第１フィルター第２端部（３０８）に固定された１以上の上部クランプ部分（５０４）及び１以上の上部クランプ部分（５０４）に取り付けられるように操作できる１以上の下部クランプ部分（５０８）を有する第２フィルター第１端部（３１３）を含む第２フィルター部分（３１４）も含み得、第２フィルター部分（３１４）は、１以上の下部クランプ部分（５０８）を１以上の上部クランプ部分（５０４）に取り付けることによって第１フィルター部分（３０６）に固定される。
【００３１】
一実施形態では、このシステム又は装置はまた、下部クランプ部分（５０８）に連結されたクランプフック（５１２）も含み得、第２フィルター部分（３１４）はクランプフック（５１２）の少なくとも一部分を上部クランプ部分（５０４）中に係合することによって第１フィルター部分（３０６）に固定される。一実施形態では、このシステム又は装置ではまた、指向性マウント（３０３）の少なくとも１つの第１端部（３０４）が管板（３０２）と係合し、指向性マウント（３０３）の第２端部（３０５）は少なくとも１つのネジ式ナット（６０８）により中間支持体（３１２）に固定される。
【００３２】
一実施形態では、このシステム又は装置はまた、管板（３０２）と第１フィルター第１端部（３０７）との間の界面を密封するように操作できるシールを含む第１フィルター部分（３０６）も含み得る。
【００３３】
ここで、図８のフローチャートを参照して、２以上のフィルター部分を含むフィルターをハウジングに装着するための別の方法８００について説明する。この方法８００はブロック８０２で開始され、本発明の一実施形態では、管板に装着されるように構成された第１フィルター部分を準備することを含んでおり、この第１フィルター部分は第１フィルター第１端部及び第１フィルター第２端部を有し、第１フィルター第２端部は１以上の上部クランプデバイスを含んでいる。ブロック８０４において、この方法８００は第１フィルター第１端部を有する第１フィルター部分を管板に隣接して装着することを含んでいる。ブロック８０６において、この方法８００は１以上の下部クランプデバイスを含む第２フィルター第１端部を有する第２フィルター部分を準備することを含んでいる。ブロック８０８において、この方法８００は第２フィルター部分を第１フィルター部分に固定することを含んでいて、１以上の下部クランプデバイスは１以上の上部クランプデバイスと共同して第２フィルター部分を第１フィルター部分に対して固定する。この方法８００はブロック８０８の後終了する。
【００３４】
一実施形態では、この方法は、１以上のクランプフック（５１２）の少なくとも一部分を１以上の上部クランプデバイス（５０４）に係合することによって、第２フィルター部分（３１４）を第１フィルター部分（３０６）に固定することを含むことができ、１以上のクランプフック（５１２）は１以上の下部クランプデバイス（５０８）に連結される。一実施形態では、この方法は、１以上のクランプフック（５１２）の少なくとも一部分を１以上の下部クランプデバイス（５０８）に係合することによって、第２フィルター部分（３１４）を第１フィルター部分（３０６）に固定することを含むことができ、１以上のクランプフック（５１２）は１以上の上部クランプデバイス（５０４）に連結される。一実施形態では、この方法は、第２フィルター部分（３１４）及び第１フィルター部分（３０６）の少なくとも一部分及びこれらの界面を密封することによって、第２フィルター部分（３１４）を第１フィルター部分（３０６）に固定することを含むことができる。
【００３５】
一実施形態では、この方法は第１フィルター部分（３０６）を中間支持体（３１２）に対して操作することを含むことができ、第１フィルター第２端部（３０８）は中間支持体（３１２）と係合するように機能可能であり、また第１フィルター第１端部（３０７）は管板（３０２）に対してその相対位置を維持する。一実施形態では、この方法は第１フィルター第２端部（３０８）を中間支持体（３１２）に対して操作することを含むことができ、第１フィルター第２端部（３０８）は中間支持体（３１２）に対してその相対位置を維持し、中間支持体（３１２）は指向性マウント（３０３）の第２端部（３０５）と係合するように操作できる。一実施形態では、中間支持体（３１２）は、管板（３０２）の方向に回転して設置中第１フィルター部分（３０６）に対するクリアランスを与えるように作動可能であり、さらに第１フィルター第２端部（３０８）と係合し第１フィルター部分（３０６）を支持する初期位置に戻るように作動可能である１以上の水平蝶番式支持腕木（６１０）を含み得る。一実施形態では、この方法は指向性マウント（３０３）の少なくとも１つの第１端部（３０４）を管板（３０２）と係合することを含むことができ、指向性マウント（３０３）の第２端部（３０５）は中間支持体（３１２）に固定される。
【００３６】
本発明の例示の実施形態は、ハウジング（１００）、管板（３０２）、中間支持体（３１２）、管板（３０２）に隣接して装着されるように操作できる第１フィルター第１端部（３０７）と中間支持体（３１２）と係合するように操作できる第１フィルター第２端部（３０８）とを含む第１フィルター部分（３０６）（第１フィルター第１端部（３０７）は管板（３０２）に対してその位置を維持し、第１フィルター第２端部（３０８）は中間支持体（３１２）に対してその相対位置を維持する）、第１フィルター第２端部（３０８）に固定された１以上の上部クランプデバイス（３１０）及び１以上の下部クランプデバイス（５０８）を有する第２フィルター第１端部（３１３）を含む第２フィルター部分（３１４）（１以上の下部クランプデバイス（５０８）は本第２フィルター部分（３１４）を第１フィルター部分（３０６）に対して固定するように操作できるの）１以上を含み得るシステム又は装置を含み得る。
【００３７】
一実施形態では、このシステム又は装置はまた、管板（３０２）に装着されるように操作できる２以上の指向性マウント第１端部（３０４）及び中間支持体（３１２）に装着されるように操作できる指向性マウント第２端部（３０５）を有する指向性マウント（３０３）も含み得る。一実施形態では、この中間支持体（３１２）は、管板（３０２）の方に回転して設置中第１フィルター部分（３０６）に対するクリアランスを与えるように作動可能であり、さらに第１フィルター第２端部（３０８）と係合し第１フィルター部分（３０６）を支持する初期位置に戻るように作動可能である１以上の水平蝶番式支持腕木（６１０）を含み得る。
【００３８】
一実施形態では、このシステム又は装置はまた、１以上の下部クランプデバイス（５０８）に連結された１以上のクランプフック（５１２）も含み得、第２フィルター部分（３１４）は、１以上のクランプフック（５１２）の少なくとも一部分を１以上の上部クランプデバイス（５０４）中に係合することによって、第１フィルター部分（３０６）に固定される。一実施形態では、このシステムはまた、１以上の上部クランプデバイス（５０４）に連結された１以上のクランプフック（５１２）も含み得、第２フィルター部分（３１４）は１以上のクランプフック（５１２）の少なくとも一部分を１以上の下部クランプデバイス（５０８）中に係合することによって第１フィルター部分（３０６）に固定され、また指向性マウント（３０３）の少なくとも１つの第１端部（３０４）は管板（３０２）と係合し、指向性マウント（３０３）の第２端部（３０５）は少なくとも１つのネジ式ナット（６０８）により中間支持体（３１２）に固定される。一実施形態では、このシステムは、さらに、第１フィルター第２端部（３０８）と第２フィルター第１端部（３１３）との間の界面の少なくとも一部分を密封するように操作できるシールも含み得る。
【００３９】
例示の実施形態によって、容易に設置し組み立てられる複数部分を有するフィルターを提供するある種のシステム、方法及び装置を創成するといったような幾つかの技術的効果を得ることができる。本発明の例示の実施形態により、フィルターを装着するためのシステム、方法及び装置を提供するというさらなる技術的効果を得ることができる。
【００４０】
本発明の例示の実施形態では、ハウジングシステム１００及びアセンブリ３００はいずれかの機能を容易に実行できる任意の数のハードウェア要素を含み得る。所望により、本発明の実施形態は多かれ少なかれ図１〜６に示した要素を含み得る。
【００４１】
現在のところ最も実際的な様々な実施形態と考えられる実施形態に関連して本発明の幾つかの実施形態について説明して来たが、本発明がこれらの開示された実施形態に限定されることはなく、むしろ後記特許請求の範囲内に含まれる様々な改変及び均等な範囲を包含するものと理解されたい。本明細書では特定の用語を使用しているが、一般的な説明のためのみに用いられており限定する目的ではない。
【００４２】
本明細書では例を用いて、本発明の最良の態様を含めて幾つかの実施形態を開示し、また、当業者が、装置又はシステムを作り使用し、組み込まれたあらゆる方法を実行することを含めて、本発明の一定の実施形態を実施できるようにした。本発明の幾つかの実施形態の特許性のある範囲は特許請求の範囲に定義されており、当業者には自明の他の例を包含し得る。かかる他の例は、特許請求の範囲の文言と異ならない構造要素を有するか、又は特許請求の範囲の文言と実質的に異ならない均等な構造要素を含む場合、特許請求の範囲の範囲内に入ると考えられる。
【符号の説明】
【００４３】
１００  ハウジング
１０２  流入空気
１０４  フィルター
１０６  濾過された空気
１０８  流出空気
２００  フィルターアセンブリ
２０２  エンドキャップ
２０４  第２フィルター部分
２０６  第１フィルター部分
３００  フィルター及び取り付けアセンブリ
３０２  管板
３０３  指向性マウント
３０４  指向性マウント第１端部
３０５  指向性マウント第２端部
３０６  第１フィルター部分
３０７  第１フィルター第１端部
３０８  第１フィルター第２端部
３１０  上部クランプデバイス
３１１  下部クランプデバイス
３１２  中間支持体
３１３  第２フィルター第１端部
３１４  第２フィルター部分
３１５  第２フィルター第２端部
３１６  エンドキャップ又は支持体
４００  中間支持体
４０２  第１フィルター
４０４  支持部材
４０６  支持体取り付け点
５００  クランプアセンブリ
５０２  第１フィルター
５０４  上部クランプ部分
５０６  第２フィルター
５０８  下部クランプ部分
５１０  ガスケット
５１２  クランプフック及びレバー
６００  指向性マウント及び中間支持体
６０２  指向性マウント第２端部
６０４  支持部材
６０６  保持板又はワッシャー
６０８  ナット
６１０  蝶番式支持体
７００  方法の流れ図
７０２−７０８  方法のブロック
【図１】
2013017997.tif 000003
【図２】
2013017997.tif 000004
【図３】
2013017997.tif 000005
【図４】
2013017997.tif 000006
【図５】
2013017997.tif 000007
【図６】
2013017997.tif 000008
【図７】
2013017997.tif 000009
【図８】
2013017997.tif 000010
【外国語明細書】
2013017997000001.pdf